【手続補正書】
【提出日】令和3年4月13日(2021.4.13)
【手続補正１】
【補正対象書類名】特許請求の範囲
【補正対象項目名】全文
【補正方法】変更
【補正の内容】
【特許請求の範囲】
【請求項１】
カプセル化された電子デバイスを形成するプロセスであって、前記プロセスは、
電子デバイス上に硬化性のインク組成物をインクジェット印刷することを含み、前記硬化性のインク組成物は
1モル％ないし15モル％テトラ（メタ）アクリラートモノマー、または、1モル％ないし15モル％トリ（メタ）アクリラートモノマーとテトラ（メタ）アクリラートモノマーの組み合わせと、
1モル％ないし10モル％硬化開始剤と、
60モル％ないし97モル％ドデカンジオールジメタクリラート、または、モノ（メタ）アクリラートモノマーとドデカンジオールジメタクリラートの組み合わせとを含み、
さらに、前記プロセスは、
印刷された前記インク組成物を流し均一なフィルムを形成することと、
前記均一なフィルムを硬化させて、前記電子デバイス上に有機ポリマー薄膜を形成することと、
を含み、前記ポリマー薄膜のポリマーは、そのバルク形態で少なくとも８５℃のガラス転移温度を有する。
【請求項２】
前記インク組成物は、テトラ（メタ）アクリラートモノマーペンタエリスリトールテトラ（メタ）アクリラートを含む、請求項１に記載のプロセス。
【請求項３】
前記インク組成物は、トリ（メタ）アクリラートモノマートリメチロールプロパントリ（メタ）アクリラートを含む、請求項２に記載のプロセス。
【請求項４】
前記インク組成物は、６０モル％ないし97モル％ドデカンジオールジメタクリラートを含む、請求項１に記載のプロセス。
【請求項５】
前記インク組成物は、６０モル％ないし97モル％のモノ（メタ）アクリラートモノマーとドデカンジオールジメタクリラートの組み合わせを含む、請求項２に記載のプロセス。
【請求項６】
前記ポリマー薄膜のポリマーは、そのバルク形態において少なくとも９０℃のガラス転移温度を有する、請求項２に記載のプロセス。
【請求項７】
請求項２に記載のプロセスであって、前記硬化性のインク組成物は、25℃にて10cPsから28cPsまでの範囲の粘度と、25℃にて28dyn/cmから45dyn/cmまでの範囲の表面張力を有する。
【請求項８】
請求項４に記載のプロセスであって、前記ポリマー薄膜の前記ポリマーは、そのバルク形態において、少なくとも９０℃のガラス転移温度を有する。
【請求項９】
請求項４に記載のプロセスであって、前記硬化性のインク組成物は、25℃にて10cPsから28cPsまでの範囲の粘度と、25℃にて28dyn/cmから45dyn/cmまでの範囲の表面張力を有する。
【請求項１０】
前記電子デバイスは、光電子デバイスである、請求項１に記載のプロセス。
【請求項１１】
前記光電子デバイスは、有機発光ダイオードである、請求項１０に記載のプロセス。
【請求項１２】
請求項１に記載のプロセスであって、前記プロセスは、前記電子デバイス上に、無機バリア層を形成することを、さらに含み、前記電子デバイス上に、前記硬化性のインク組成物を適用することは、さらに、前記無機バリア層上に前記硬化性インクの組成物を適用することを含む。
【請求項１３】
請求項４に記載のプロセスであって、前記デバイスは、有機発光ダイオードであり、前記プロセスは、前記有機発光ダイオード上に無機バリア層を形成することを、さらに含み、さらに、前記電子デバイス上に前記硬化性のインク組成物を適用することは、前記無機バリア層上に、前記硬化性のインク組成物を適用することを含む。
【請求項１４】
カプセル化された電子デバイスであって、前記カプセル化された電子デバイスは
電子デバイスと、
前記電子デバイス上に配置された平坦化フィルムとを含み、前記平坦化フィルムは、組成物の重合生成物を含み、前記組成物の前記重合生成物は、
1モル％ないし15モル％トリ（メタ）アクリラート、テトラ（メタ）アクリラート、またはそれらの組み合わせと、
1モル％ないし10モル％開始剤と、
を含む、カプセル化された電子デバイス。
【請求項１５】
請求項１４に記載のカプセル化された電子デバイスであって、前記組成物は、テトラ（メタ）アクリラートを含み、さらに６０モル％ないし97モル％モノ（メタ）アクリラート、ジ（メタ）アクリラート、またはそれらの組み合わせを含む。
【請求項１６】
請求項１４に記載のカプセル化された電子デバイスであって、前記組成物は、ウレタンジ（メタ）アクリラートをさらに含む。
【請求項１７】
請求項１４に記載のカプセル化された電子デバイスであって、前記ポリマーフィルムは、約２μｍから約１０μｍの厚さ、および５％以下の厚さ変動を有する。
【請求項１８】
請求項１４に記載のカプセル化された電子デバイスであって、前記ポリマーフィルムは、約０．１０％未満のオプティカルヘイズを有する。
【請求項１９】
カプセル化された電子デバイスであって、前記カプセル化された電子デバイスは、
電子デバイスと、
前記電子デバイス上に配置されたムラフリーポリマーフィルムと、を備え、
前記ムラフリーポリマーフィルムは、約２μｍから約１０μｍの厚さ、約５％未満の厚さ変動、および約０．１０％未満のオプティカルヘイズを有し、前記フィルムは、組成物の重合生成物を含み、前記組成物の前記重合生成物は、
1モル％ないし15モル％トリ（メタ）アクリラート、テトラ（メタ）アクリラート、またはそれらの組み合わせと、
1モル％ないし10モルの開始剤と、を含む。
【請求項２０】
請求項１９に記載のカプセル化された電子デバイスであって、前記組成物は、テトラ（メタ）アクリラートを含み、さらに６０モル％ないし９７モル％モノ（メタ）アクリラート、ジ（メタ）アクリラート、またはそれらの組み合わせを含む。
【請求項２１】
請求項１９に記載のカプセル化された電子デバイスであって、前記組成物は、ウレタンジ（メタ）アクリラートをさらに含む。
【請求項２２】
請求項１９に記載のカプセル化された電子デバイスであって、前記組成物は、５７モル％ないし97モル％ドデカンジオールジメタクリラート、1モル％ないし20モル％ジウレタンジメタクリラート、1モル％ないし１３モル％トリメチロールプロパントリアクリラート、および1モル％ないし１０モル％エチル（２、４、６−トリメチルベンゾイル）フェニルホスフィナートを含む。
【請求項２３】
請求項１９に記載のカプセル化された電子デバイスであって、前記組成物は、６４モル％ないし97モル％ドデカンジオールジメタクリラート、1モル％ないし13モル％ペンタエリスリトールテトラアクリラート、1モル％ないし13モル％トリメチロールプロパントリアクリラート、および1モル％ないし10モル％エチル（2,4,6-トリメチルベンゾイル）フェニルホスフィナートを含む。
【請求項２４】
電子デバイスのフィルムであって、前記フイルムは、厚さが約２μｍから約１０μｍであり、厚さの変動が約５％未満であり、オプティカルヘイズが約０．１０％未満であり、前記フィルムはムラフリーであり、前記フィルムは、組成物の重合生成物を含み、前記組成物の前記重合生成物は、
1モル％ないし15モル％トリ（メタ）アクリラート、テトラ（メタ）アクリラート、またはそれらの組み合わせと、
1モル％ないし10モル％開始剤と、を含む。
【請求項２５】
請求項２４に記載のフィルムは、前記組成物は、テトラ（メタ）アクリラートを含み、さらに６０モル％ないし97モル％モノ（メタ）アクリラート、ジ（メタ）アクリラート、またはそれらの組み合わせを、さらに含む。
【請求項２６】
前記組成物は、ウレタンジ（メタ）アクリラートを、さらに含む、請求項２４に記載のフィルム。
【請求項２７】
請求項２４に記載のフィルムであって、前記組成物は、５７モル％ないし97モル％ドデカンジオールジメタクリラート、1モル％ないし20モル％ジウレタンジメタクリラート、1モル％ないし13モル％トリメチロールプロパントリアクリラート、および1モル％ないし10モル％エチル（2,4,6-トリメチルベンゾイル）フェニルホスフィナートを含む。
【請求項２８】
請求項２４に記載のフィルムであって、前記組成物は、６４モル％ないし97モル％ドデカンジオールジメタクリラート、1モル％ないし13モル％ペンタエリスリトールテトラアクリラート、1モル％ないし13モル％トリメチロールプロパントリアクリラート、および1モル％ないし10モル％エチル（2,4,6-トリメチルベンゾイル）フェニルホスフィナートを含む。